(57)【要約】  【課題】  現在の状態で動作可能な機能の一覧表示することができる光ディスク記録再生装置を提供する。  【解決手段】  装置の電源をオンし（ステップＮ１）、光ディスクを装置に装填した後、リモコンの操作により、再生動作、録画動作、停止動作、編集動作の何れかの動作が行われ（ステップＮ２）、この時に、ショートカットキーが押下されると（ステップＮ３）、ＣＰＵの状態判別手段は装置の現在状態を判別する（ステップＮ４）。そして、前記判別結果が、例えば再生状態を示すとき（ステップＮ５）、ＣＰＵの表示制御手段は、再生状態にて動作可能な機能内容のうち現時点で操作可能な項目だけを、ディスプレイ装置に一覧表示する（ステップＮ６）。【選択図】      図３
2006147084.tif 000002
【特許請求の範囲】
【請求項１】
光ディスクに対して情報の記録／再生を行う光ディスク記録再生装置において、装置の
現在状態で動作可能な機能内容をディスプレイ装置に表示させる指示を与える機能表示指
示信号を送信するためのショートカットキーを有するリモコンと、再生状態にて動作可能
な機能内容、録画状態にて動作可能な機能内容、停止状態にて動作可能な機能内容、およ
び編集状態にて動作可能な機能内容を格納するメモリとを備えて構成し、更に、前記ショ
ートカットキーが押下されたとき現在状態を判別する状態判別手段と、前記判別結果が再
生状態のとき前記メモリから再生状態にて動作可能な機能内容を、前記判別結果が録画状
態のとき前記メモリから録画状態にて動作可能な機能内容を、前記判別結果が停止状態の
とき前記メモリから停止状態にて動作可能な機能内容を、前記判別結果が編集状態のとき
前記メモリから編集状態にて動作可能な機能内容を、それぞれ読み出して前記ディスプレ
イ装置に一覧表示させる表示制御手段と、前記ディスプレイ装置に一覧表示された機能内
容の中で現時点では操作が不可能な項目については表示色を変えて表示させる表示色制御
手段とを有するシステムコントローラを備えたことを特徴とする光ディスク記録再生装置
。
【請求項２】
光ディスクに対して情報の記録／再生を行う光ディスク記録再生装置において、装置の
現在状態で動作可能な機能内容をディスプレイ装置に表示させる指示を与える機能表示指
示信号を送信するためのショートカットキーを有するリモコンを設け、更に、前記ショー
トカットキーが押下されたとき現在状態を判別する状態判別手段と、前記判別結果が再生
状態のとき再生状態にて動作可能な機能内容を、前記判別結果が録画状態のとき録画状態
にて動作可能な機能内容を、前記判別結果が停止状態のとき停止状態にて動作可能な機能
内容を、前記判別結果が編集状態のとき編集状態にて動作可能な機能内容を、現時点で操
作可能な項目について前記ディスプレイ装置に一覧表示させる表示制御手段とを有するシ
ステムコントローラを備えたことを特徴とする光ディスク記録再生装置。
【請求項３】
光ディスクに対して情報の記録／再生を行う光ディスク記録再生装置において、装置の
現在状態で動作可能な機能内容をディスプレイ装置に表示させるための機能表示指令信号
を送信するためのショートカットキーを有するリモコンと、装置の各状態にて動作可能な
機能内容を格納するメモリとを備えて構成し、更に、前記ショートカットキーが押下され
たとき現在状態を判別する状態判別手段と、前記判別された現在状態にて動作可能な機能
内容を前記メモリから読み出して前記ディスプレイ装置に一覧表示させる表示制御手段と
を有するシステムコントローラを備えたことを特徴とする光ディスク記録再生装置。
【請求項４】
前記システムコントローラは、ディスプレイ装置に一覧表示された機能内容の中で現時
点では操作が不可能な項目については表示色を変えて表示させる表示色制御手段を有する
ことを特徴とする請求項３に記載の光ディスク記録再生装置。
【請求項５】
光ディスクに対して情報の記録／再生を行う光ディスク記録再生装置において、装置の
現在状態で動作可能な機能内容をディスプレイ装置に表示させる指示を与える機能表示指
示信号を送信するためのショートカットキーを有するリモコンを設け、更に、前記ショー
トカットキーが押下されたとき現在状態を判別する状態判別手段と、前記判別された現在
状態にて動作可能な機能内容を現時点で操作可能な項目についてディスプレイ装置に一覧
表示させる表示制御手段とを有するシステムコントローラを備えたことを特徴とする光デ
ィスク記録再生装置。
【請求項６】
前記判別された現在状態にて動作可能な機能内容とは、再生状態にて動作可能な機能内
容、録画状態にて動作可能な機能内容、停止状態にて動作可能な機能内容を、編集状態に
て動作可能な機能内容であることを特徴とする請求項３または請求項５に記載の光ディス
ク記録再生装置。
【発明の詳細な説明】
【技術分野】
【０００１】
本発明は、光ディスクに対して情報の記録／再生を行う光ディスク記録再生装置に関し
、特に、装置の現在状態で動作可能な機能内容を表示できる光ディスク記録再生装置に関
する。
【背景技術】
【０００２】
例えば、テレビジョン受像機では、リモコン（リモートコントローラ）を利用してチャ
ンネル選択や入力切換え、あるいは各種の調整や設定を行えるようになっている。各種の
調整や設定項目はディスプレイ装置の画面上にメニュー表示され、ユーザはメニュー画面
を見ながら希望する項目を選択し、各種の調整や設定を実行できるようにしている。
【０００３】
ところで、このようなテレビジョン受像機を接続して情報の記録／再生を行う光ディス
ク記録再生装置では、装填された光ディスクに対して、例えば再生動作が行われていると
きに、動作が可能な機能としては、「録画」、「再生停止」、「早送り」、「早戻し」、
「スロー」、「逆スロー」、「ＰＡＵＳＥ」、「コマ送り」、「コマ戻し」、「ＳＫＩＰ
ＵＰ」、「ＳＫＩＰ  ＤＯＷＮ」、「３０秒ＳＫＩＰ」などがある。また、録画動作が
行われているときに、動作が可能な機能としては、「同時再生」、「追い掛け再生」、「
録画停止」、「ＲＥＣモニター」、「ＲＥＣ  ＰＡＵＳＥ」などがある。
【特許文献１】特開２００３−９０１９号公報
【特許文献２】特開２００１−２６８４６５号公報
【特許文献３】特開平６−３８１２８号公報
【発明の開示】
【発明が解決しようとする課題】
【０００４】
しかしながら、従来の光ディスク記録再生装置では、再生状態や録画状態など現在状態
において動作可能な機能内容をユーザが知っていれば問題ないが、知らなかった場合には
装置の取扱説明書を読んで操作しなければならないので、操作が面倒で使い勝手が悪いと
いう課題があった。
【０００５】
なお、特許文献１の従来技術は、リモコン送信機のキーを一つまたは複数の文字を表す
キーとして、その出力信号を取り扱い、その入力文字を含む放送局名をキー入力の各段階
で選択して放送局名の一覧を画面表示するようにしたディジタル放送受信装置に関するも
のであり、光ディスク記録再生装置の現在状態において動作可能な機能内容を表示するも
のではない。
【０００６】
特許文献２の従来技術は、リモコンのメニューを操作することによって複数の主操作項
目からなる主メニューを表示するとともに、メニュー選択キーによって所定の主操作項目
が選択された場合に、その下層にある副操作項目からなる副メニューを表示可能とするよ
うにしたオンスクリーンメニュー操作装置およびテレビジョン受像機に関するものであり
、この従来技術も、光ディスク記録再生装置の現在状態において動作可能な機能内容を表
示するものではない。
【０００７】
特許文献３の従来技術は、ＣＲＴ表示部の画面の所定領域にピクチャ・イン・ピクチャ
機能を割り当てるようにした映像表示装置に関するものであり、この従来技術も、光ディ
スク記録再生装置の現在状態において動作可能な機能内容を表示するものではない。
【０００８】
本発明は、上記のような課題を解決するためになされたもので、現在の状態で動作可能
な機能の一覧表示することができる光ディスク記録再生装置を提供することを目的とする
。
【課題を解決するための手段】
【０００９】
上記目的を達成するために、請求項１の発明は、装置の現在状態で動作可能な機能内容
をディスプレイ装置に表示させる指示を与える機能表示指示信号を送信するためのショー
トカットキーを有するリモコンと、再生状態にて動作可能な機能内容、録画状態にて動作
可能な機能内容、停止状態にて動作可能な機能内容、および編集状態にて動作可能な機能
内容を格納するメモリとを備えて構成し、更に、前記ショートカットキーが押下されたと
き現在状態を判別する状態判別手段と、前記判別結果が再生状態のとき前記メモリから再
生状態にて動作可能な機能内容を、前記判別結果が録画状態のとき前記メモリから録画状
態にて動作可能な機能内容を、前記判別結果が停止状態のとき前記メモリから停止状態に
て動作可能な機能内容を、前記判別結果が編集状態のとき前記メモリから編集状態にて動
作可能な機能内容を、それぞれ読み出して前記ディスプレイ装置に一覧表示させる表示制
御手段と、前記ディスプレイ装置に一覧表示された機能内容の中で現時点では操作が不可
能な項目については表示色を変えて表示させる表示色制御手段とを有するシステムコント
ローラを備えたことを特徴とする光ディスク記録再生装置を提供する。
【００１０】
この構成において、再生動作、録画動作、停止動作、編集動作の何れかの動作が行われ
ている時に、ショートカットキーが押下されると、状態判別手段は装置の現在状態を判別
する。前記判別結果が、例えば再生状態を示すとき、表示制御手段は、再生状態にて動作
可能な機能内容を、メモリから読み出してディスプレイ装置に一覧表示する。そして、表
示色制御手段は、一覧表示された機能内容において現時点では操作が不可能な項目につい
ては表示色を変える。
【００１１】
この構成によれば、リモコンのショートカットキーを押下することにより、現在の状態
で動作可能な機能が一覧表示され、しかも現時点では操作が不可能な項目については表示
色を変えて表示されるので、ユーザは現在の状態で動作可能な機能を正確に簡単に知るこ
とができ、これにより、現在の状態での操作が簡単になって、使い勝手が向上する。
【００１２】
請求項２の発明は、装置の現在状態で動作可能な機能内容をディスプレイ装置に表示さ
せる指示を与える機能表示指示信号を送信するためのショートカットキーを有するリモコ
ンを設け、更に、前記ショートカットキーが押下されたとき現在状態を判別する状態判別
手段と、前記判別結果が再生状態のとき再生状態にて動作可能な機能内容を、前記判別結
果が録画状態のとき録画状態にて動作可能な機能内容を、前記判別結果が停止状態のとき
停止状態にて動作可能な機能内容を、前記判別結果が編集状態のとき編集状態にて動作可
能な機能内容を、現時点で操作可能な項目について前記ディスプレイ装置に一覧表示させ
る表示制御手段とを有するシステムコントローラを備えたことを特徴とする光ディスク記
録再生装置を提供する。
【００１３】
この構成において、再生動作、録画動作、停止動作、編集動作の何れかの動作が行われ
ている時に、ショートカットキーが押下されると、状態判別手段は装置の現在状態を判別
する。前記判別結果が、例えば再生状態を示すとき、表示制御手段は、再生状態にて動作
可能な機能内容のうち現時点で操作可能な項目だけを、ディスプレイ装置に一覧表示する
。
【００１４】
この構成によれば、リモコンのショートカットキーを押下することにより、現在の状態
で動作可能な機能が一覧表示され、しかも現時点で操作可能な項目だけが表示されるので
、ユーザは現在の状態で動作可能な機能を簡単に知ることができ、これにより、現在の状
態での操作が簡単になって、使い勝手が向上する。
【００１５】
請求項３の発明は、装置の現在状態で動作可能な機能内容をディスプレイ装置に表示さ
せるための機能表示指令信号を送信するためのショートカットキーを有するリモコンと、
装置の各状態にて動作可能な機能内容を格納するメモリとを備えて構成し、更に、前記シ
ョートカットキーが押下されたとき現在状態を判別する状態判別手段と、前記判別された
現在状態にて動作可能な機能内容を前記メモリから読み出して前記ディスプレイ装置に一
覧表示させる表示制御手段とを有するシステムコントローラを備えたことを特徴とする光
ディスク記録再生装置を提供する。
【００１６】
この構成において、再生動作、録画動作、停止動作、編集動作の何れかの動作が行われ
ている時に、ショートカットキーが押下されると、状態判別手段は装置の現在状態を判別
する。前記判別結果が、例えば再生状態を示すとき、表示制御手段は、再生状態にて動作
可能な機能内容を、メモリから読み出してディスプレイ装置に一覧表示する。
【００１７】
この構成によれば、リモコンのショートカットキーを押下することにより、現在の状態
で動作可能な機能が一覧表示されるので、ユーザは現在の状態で動作可能な機能を簡単に
知ることができ、これにより、現在の状態での操作が簡単になって、使い勝手が向上する
。
【００１８】
請求項４の発明では、請求項３の発明において、前記システムコントローラは、ディス
プレイ装置に一覧表示された機能内容の中で現時点では操作が不可能な項目については表
示色を変えて表示させる表示色制御手段を有するので、ユーザは現在の状態で動作可能な
機能を正確に簡単に知ることができる。
【００１９】
請求項５の発明は、装置の現在状態で動作可能な機能内容をディスプレイ装置に表示さ
せる指示を与える機能表示指示信号を送信するためのショートカットキーを有するリモコ
ンを設け、更に、前記ショートカットキーが押下されたとき現在状態を判別する状態判別
手段と、前記判別された現在状態にて動作可能な機能内容を現時点で操作可能な項目につ
いてディスプレイ装置に一覧表示させる表示制御手段とを有するシステムコントローラを
備えたことを特徴とする光ディスク記録再生装置を提供する。
【００２０】
この構成において、動作が行われている時に、ショートカットキーが押下されると、状
態判別手段は装置の現在状態を判別する。表示制御手段は、現在状態にて動作可能な機能
内容のうち現時点で操作可能な項目だけを、ディスプレイ装置に一覧表示する。
【００２１】
この構成によれば、リモコンのショートカットキーを押下することにより、現在の状態
で動作可能な機能が一覧表示され、しかも現時点で操作可能な項目だけが表示されるので
、ユーザは現在の状態で動作可能な機能を正確に簡単に知ることができ、これにより、現
在の状態での操作が簡単になって、使い勝手が向上する。
【００２２】
請求項６の発明では、請求項３または請求項５の発明において、前記判別された現在状
態にて動作可能な機能内容とは、再生状態にて動作可能な機能内容、録画状態にて動作可
能な機能内容、停止状態にて動作可能な機能内容を、編集状態にて動作可能な機能内容で
あるので、現在状態が、再生状態、録画状態、停止状態、編集状態であった場合に、動作
可能な機能内容が表示されることになる。
【発明の効果】
【００２３】
以上のように本発明によれば、装置の現在状態で動作可能な機能内容をディスプレイ装
置に表示させる指示を与える機能表示指示信号を送信するためのショートカットキーを有
するリモコンと、再生状態にて動作可能な機能内容、録画状態にて動作可能な機能内容、
停止状態にて動作可能な機能内容、および編集状態にて動作可能な機能内容を格納するメ
モリとを備えて構成し、更に、前記ショートカットキーが押下されたとき現在状態を判別
する状態判別手段と、前記判別結果が再生状態のとき前記メモリから再生状態にて動作可
能な機能内容を、前記判別結果が録画状態のとき前記メモリから録画状態にて動作可能な
機能内容を、前記判別結果が停止状態のとき前記メモリから停止状態にて動作可能な機能
内容を、前記判別結果が編集状態のとき前記メモリから編集状態にて動作可能な機能内容
を、それぞれ読み出して前記ディスプレイ装置に一覧表示させる表示制御手段と、前記デ
ィスプレイ装置に一覧表示された機能内容の中で現時点では操作が不可能な項目について
は表示色を変えて表示させる表示色制御手段とを有するシステムコントローラを備えたの
で、リモコンのショートカットキーを押下することにより、現在の状態で動作可能な機能
を一覧表示することができ、しかも現時点では操作が不可能な項目については表示色を変
えて表示することができ、これにより、ユーザは現在の状態で動作可能な機能を正確に簡
単に知ることができ、したがって、現在の状態での操作が簡単になって、使い勝手が向上
する。
【００２４】
また、本発明によれば、装置の現在状態で動作可能な機能内容をディスプレイ装置に表
示させる指示を与える機能表示指示信号を送信するためのショートカットキーを有するリ
モコンを設け、更に、前記ショートカットキーが押下されたとき現在状態を判別する状態
判別手段と、前記判別結果が再生状態のとき再生状態にて動作可能な機能内容を、前記判
別結果が録画状態のとき録画状態にて動作可能な機能内容を、前記判別結果が停止状態の
とき停止状態にて動作可能な機能内容を、前記判別結果が編集状態のとき編集状態にて動
作可能な機能内容を、現時点で操作可能な項目について前記ディスプレイ装置に一覧表示
させる表示制御手段とを有するシステムコントローラを備えたので、リモコンのショート
カットキーを押下することにより、現在の状態で動作可能な機能を一覧表示することがで
き、しかも現時点で操作可能な項目だけが表示され、これにより、ユーザは現在の状態で
動作可能な機能を正確に簡単に知ることができ、したがって、現在の状態での操作が簡単
になって、使い勝手が向上する。
【００２５】
また、本発明によれば、装置の現在状態で動作可能な機能内容をディスプレイ装置に表
示させるための機能表示指令信号を送信するためのショートカットキーを有するリモコン
と、装置の各状態にて動作可能な機能内容を格納するメモリとを備えて構成し、更に、前
記ショートカットキーが押下されたとき現在状態を判別する状態判別手段と、前記判別さ
れた現在状態にて動作可能な機能内容を前記メモリから読み出して前記ディスプレイ装置
に一覧表示させる表示制御手段とを有するシステムコントローラを備えたので、リモコン
のショートカットキーを押下することにより、現在の状態で動作可能な機能を一覧表示す
ることができ、これにより、ユーザは現在の状態で動作可能な機能を簡単に知ることがで
き、したがって、現在の状態での操作が簡単になって、使い勝手が向上する。
【００２６】
また、本発明によれば、装置の現在状態で動作可能な機能内容をディスプレイ装置に表
示させる指示を与える機能表示指示信号を送信するためのショートカットキーを有するリ
モコンを設け、更に、前記ショートカットキーが押下されたとき現在状態を判別する状態
判別手段と、前記判別された現在状態にて動作可能な機能内容を現時点で操作可能な項目
についてディスプレイ装置に一覧表示させる表示制御手段とを有するシステムコントロー
ラを備えたので、リモコンのショートカットキーを押下することにより、現在の状態で動
作可能な機能を一覧表示することができ、しかも現時点で操作可能な項目だけを表示する
ことができ、これにより、ユーザは現在の状態で動作可能な機能を正確に簡単に知ること
ができ、したがって、現在の状態での操作が簡単になって、使い勝手が向上する。
【発明を実施するための最良の形態】
【００２７】
以下、添付図面を参照しつつ、本発明の実施の形態について説明する。図１は本発明の
第１実施形態に係る光ディスク記録再生装置の構成を示すブロック図である。
【００２８】
この光ディスク記録再生装置は、光ディスク１を回転させるスピンドルモータ５と、光
ディスク１に対して情報の記録／再生を行うためのレーザ光を出射すると共に光ディスク
１からの反射光を受光する光ピックアップ２と、この光ピックアップ２を光ディスク１の
半径方向に移動させるためのスレッド３と、システムコントローラ２２の指示に応じてス
ピンドルモータ５およびスレッド３を駆動すると共に光ピックアップ２に内蔵された対物
レンズ（図示せず）を動かすことによりレーザ光の焦点位置を光ディスク１の記録面に対
して垂直方向および水平方向に移動させる制御を行うサーボ制御部４とを備えている。
【００２９】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００３０】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００３１】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００３２】
また、この光ディスク記録再生装置は、システムコントローラ２２に対して赤外線信号
により、再生指示を与えるための再生キー２１１、再生停止を指示するための停止キー２
１２、録画指示を与えるための録画キー（ＲＥＣキー）２１３、新たに設けられたショー
トカットキー２１４、および電源キー２１５などの各種操作キーを有するリモコン２１と
、装置全体を制御する前記システムコントローラ２２とを備えている。
【００３３】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４と、このＣＰＵ２４の処理に必要なデータを一時的に格納するＲ
ＡＭ２４とを備えている。特にフラッシュＲＯＭ２３には、再生状態にて動作可能な機能
内容、録画状態にて動作可能な機能内容、停止状態にて動作可能な機能内容、および編集
状態にて動作可能な機能内容が予め格納されている。
【００３４】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００３５】
システムコントローラ２２のＣＰＵ２２０には、本実施形態の特徴とする構成要素とし
て、リモコン２１のショートカットキー２１４が押下されたとき装置の現在状態を判別す
る状態判別手段２２１と、前記判別結果が再生状態のときフラッシュＲＯＭ２３から再生
状態にて動作可能な機能内容を、前記判別結果が録画状態のときフラッシュＲＯＭ２３か
ら録画状態にて動作可能な機能内容を、前記判別結果が停止状態のときフラッシュＲＯＭ
２３から停止状態にて動作可能な機能内容を、前記判別結果が編集状態のときフラッシュ
ＲＯＭ２３から編集状態にて動作可能な機能内容を、それぞれ読み出してディスプレイ装
置２０に一覧表示させる表示制御手段２２２と、ディスプレイ装置２０に一覧表示された
機能内容の中で現時点では操作が不可能な項目については表示色を変えて表示させる表示
色制御手段２２３とを有する。
【００３６】
図２は第１の実施形態においてショートカットキーの押下による処理を説明するための
フローチャートである。このフローチャートを参照してショートカットキーの押下による
処理を説明する。
【００３７】
リモコン２１の電源キー２１５を押下して、装置の電源をオンし（ステップＳ１）、光
ディスク１を装置に装填した後、リモコン２１の操作により、再生動作、録画動作、停止
動作、編集動作の何れかの動作が行われる（ステップＳ２）。このように、何れかの動作
が行われている時に、ショートカットキー２１４が押下されると（ステップＳ３）、ＣＰ
Ｕ２２０の状態判別手段２２１は装置の現在状態を判別する（ステップＳ４）。
【００３８】
前記判別結果が再生状態を示すとき（ステップＳ５）、ＣＰＵ２２０の表示制御手段２
２２は、再生状態にて動作可能な機能内容を、フラッシュＲＯＭ２３から読み出し、ビデ
オデコーダ１５、ビデオプロセッサ１７、およびビデオエンコーダ１８を介して処理し、
ディスプレイ装置２０に一覧表示する（ステップＳ６）。そして、ＣＰＵ２２０の表示色
制御手段２２３は、ディスプレイ装置２０に一覧表示された機能内容において現時点では
操作が不可能な項目については、ビデオデコーダ１５、ビデオプロセッサ１７、およびビ
デオエンコーダ１８を介して、表示色を変える（ステップＳ７）。
【００３９】
図４は再生状態にて動作可能な機能内容（メニュー項目）がディスプレイ装置２０に一
覧表示された一例を示す図である。図４におけるメニュー項目としては、「録画」、「再
生停止」、「早送り」、「早戻し」、「スロー」、「逆スロー」、「ＰＡＵＳＥ」、「コ
マ送り」、「コマ戻し」、「ＳＫＩＰ  ＵＰ」、「ＳＫＩＰ  ＤＯＷＮ」、「３０秒ＳＫ
ＩＰ」が表示される。「ＤＩＳＣ情報」としては、「ＶＲモード」、「タイトル数」、「
ＤＩＳＣ残量」、「Finalize 済み（未）」が表示される。また、「ＤＩＳＰＬＡＹ表示
」、「ＳＥＴ  ＵＰ設定」が表示される。
【００４０】
なお、映画などが記録された市販のＤＶＤが、この光ディスク記録再生装置に装填され
ている場合、そのＤＶＤは消去できないようになっているので、前述した表示色制御手段
２２３は、そのＤＶＤは消去できなく新たに録画できないというディスク情報を読み取り
、「録画」の部分の表示色を他の項目とは異なる色で表示する。
【００４１】
図４において、「録画」とは録画すること言い、「再生停止」とは再生を停止させるこ
とを言う。「早送り」とは再生を早送りすることを言い、「早戻し」とは再生を早戻しす
ることを言う。「スロー」とは再生をスローで行うことを言い、「逆スロー」とは再生を
逆スローで行うことを言う。「ＰＡＵＳＥ」とは再生を一時停止させることを言う。「コ
マ送り」とはコマ送りで再生することを言い、「コマ戻し」とはコマ戻しで再生すること
言う。「ＳＫＩＰ  ＵＰ」とは再生をスキップアップさせることを言い、「ＳＫＩＰ  Ｄ
ＯＷＮ」とは再生をスキップダウンさせることを言う。「３０秒ＳＫＩＰ」とは３０秒分
のスキップを行うことを言う。
【００４２】
「ＤＩＳＣ情報」は、光ディスク記録再生装置に装填された光ディスクから読み出され
たディスク情報であり、「ＶＲモード」、「タイトル数」、「ＤＩＳＣ残量」、「Finali
ze 済み（未）」の情報がある。「Finalize 済み」である場合は、当該光ディスクは録画
や編集ができなくなり、「Finalize（未）」の場合は、Finalizeは未だであるので、当該
光ディスクは録画や編集ができることを示す。「ＤＩＳＣ残量」は、再生状態での残りの
再生時間であり、所定時間毎に更新される。また、「ＤＩＳＰＬＡＹ表示」とは、ディス
プレイ装置２０に情報を表示させることを言う。「ＳＥＴ  ＵＰ設定」とは、装置のセッ
トアップを設定することを言う。
【００４３】
次に、前記判別結果が録画状態を示すとき（ステップＳ８）、ＣＰＵ２２０の表示制御
手段２２２は、録画状態にて動作可能な機能内容をフラッシュＲＯＭ２３から読み出し、
ビデオデコーダ１５、ビデオプロセッサ１７、およびビデオエンコーダ１８を介して処理
し、ディスプレイ装置２０に一覧表示する（ステップＳ９）。そして、ＣＰＵ２２０の表
示色制御手段２２３は、一覧表示された機能内容において現時点では操作が不可能な項目
については、ビデオデコーダ１５、ビデオプロセッサ１７、およびビデオエンコーダ１８
を介して、表示色を変える（ステップＳ１０）。
【００４４】
図５は録画状態にて動作可能な機能内容（メニュー項目）がディスプレイ装置２０に一
覧表示された一例を示す図である。図５におけるメニュー項目としては、「同時再生」、
「追い掛け再生」、「録画停止」、「ＲＥＣモニター」、「ＲＥＣ  ＰＡＵＳＥ」が表示
される。また「ＤＩＳＣ情報」としては、「ＶＲモード」、「タイトル数」、「ＤＩＳＣ
残量」、「Finalize 済み（未）」が表示される。また、「ＤＩＳＰＬＡＹ表示」、「Ｓ
ＥＴ  ＵＰ設定」が表示される。
【００４５】
図５において、「同時再生」とは、例えば、ＤＶＤ−ＲＷにおいて、タイトルＴ２に録
画（ＲＥＣ）している途中でタイトルＴ１を再生することを言い、「追い掛け再生」とは
、ＤＶＤ−ＲＷにおいて、タイトルＴ２が録画中で、このタイトルＴ２を録画した部分か
ら再生することを言う。「録画停止」とは、録画を停止させることを言う。「ＲＥＣモニ
ター」とは、録画状態をディスプレイ装置２０に表示させることを言う。「ＲＥＣ  ＰＡ
ＵＳＥ」とは、録画を一時停止させることを言う。
【００４６】
「ＤＩＳＣ情報」は、光ディスク記録再生装置に装填された光ディスクから読み出され
たディスク情報であり、「ＶＲモード」、「タイトル数」、「ＤＩＳＣ残量」、「Finali
ze 済み（未）」の情報がある。「Finalize 済み」である場合は、当該光ディスクは録画
や編集ができなくなり、「Finalize（未）」の場合は、Finalizeは未だであるので、当該
光ディスクは録画や編集ができることを示す。「ＤＩＳＣ残量」は、録画状態での残りの
記録可能時間であり、所定時間毎に更新される。また、「ＤＩＳＰＬＡＹ表示」は、ディ
スプレイ装置２０に情報を表示させることを言う。「ＳＥＴ  ＵＰ設定」は、装置のセッ
トアップを設定することを言う。
【００４７】
次に、前記判別結果が停止状態を示すとき（ステップＳ１１）、ＣＰＵ２２０の表示制
御手段２２２は、停止状態にて動作可能な機能内容をフラッシュＲＯＭ２３から読み出し
、ビデオデコーダ１５、ビデオプロセッサ１７、およびビデオエンコーダ１８を介して処
理し、ディスプレイ装置２０に一覧表示する（ステップＳ１２）。そして、ＣＰＵ２２０
の表示色制御手段２２３は、一覧表示された機能内容において現時点では、操作が不可能
な項目については、ビデオデコーダ１５、ビデオプロセッサ１７、およびビデオエンコー
ダ１８を介して表示色を変える（ステップＳ１３）。
【００４８】
図６は停止状態にて動作可能な機能内容（メニュー項目）がディスプレイ装置２０に一
覧表示された一例を示す図である。図６におけるメニュー項目としては、「録画」、「再
生」、「リジューム再生」が表示される。また「ＤＩＳＣ情報」としては、「ＶＲモード
」、「タイトル数」、「ＤＩＳＣ残量」、「Finalize 済み（未）」が表示される。また
、「ＤＩＳＰＬＡＹ表示」、「ＳＥＴ  ＵＰ設定」が表示される。
【００４９】
図６において、「録画」とは録画することを言い、「再生」とは再生することを言う。
「リジューム再生」とは再生を中断した後、その続きから再生することを言う。「ＤＩＳ
Ｃ情報」は、光ディスク記録再生装置に装填された光ディスクから読み出されたディスク
情報であり、「ＶＲモード」、「タイトル数」、「ＤＩＳＣ残量」、「Finalize 済み（
未）」の情報がある。「Finalize 済み」である場合は、当該光ディスクは録画や編集が
できなくなり、「Finalize（未）」の場合は、Finalizeは未だであるので、当該光ディス
クは録画や編集ができることを示す。「ＤＩＳＣ残量」は、録画状態での残りの記録可能
時間または再生状態での残りの再生時間であり、所定時間毎に更新される。また、「ＤＩ
ＳＰＬＡＹ表示」とは、ディスプレイ装置２０に情報を表示させることを言う。「ＳＥＴ
ＵＰ設定」とは、装置のセットアップを設定することを言う。
【００５０】
次に、前記判別結果が編集状態を示すとき（ステップＳ１４）、ＣＰＵ２２０の表示制
御手段２２２は、編集状態にて動作可能な機能内容を、フラッシュＲＯＭ２３から読み出
し、ビデオデコーダ１５、ビデオプロセッサ１７、およびビデオエンコーダ１８を介して
処理し、ディスプレイ装置２０に一覧表示する（ステップＳ１５）。そして、ＣＰＵ２２
０の表示色制御手段２２３は、一覧表示された機能内容において現時点では、操作が不可
能な項目については、ビデオデコーダ１５、ビデオプロセッサ１７、およびビデオエンコ
ーダ１８を介して、表示色を変える（ステップＳ１６）。
【００５１】
図７は編集状態にて動作可能な機能内容（メニュー項目）がディスプレイ装置２０に一
覧表示された一例を示す図である。図７におけるメニュー項目としては、「タイトル結合
」、「タイトル分割」、「シーン削除」、「タイトル名変更」、「タイトル保護」、「Ch
apter Mark」、「Index Picture Set」、「再生停止」、「早送り」、「早戻し」、「ス
ロー」、「逆スロー」、「ＰＡＵＳＥ」、「コマ送り」、「コマ戻し」、「ＳＫＩＰ  Ｕ
Ｐ」、「ＳＫＩＰ  ＤＯＷＮ」、「３０秒ＳＫＩＰ」が表示される。「ＤＩＳＣ情報」と
しては、「ＶＲモード」、「タイトル数」、「ＤＩＳＣ残量」、「Finalize 済み（未）
」が表示される。また「ＤＩＳＰＬＡＹ表示」、「ＳＥＴ  ＵＰ設定」が表示される。
【００５２】
図７において、「タイトル結合」とは複数のタイトルを結合させることを言い、「タイ
トル分割」とはタイトルを分割させることを言う。「シーン削除」とは指定したシーンを
削除することを言い、「タイトル名変更」とはタイトルの名前を変更することを言い、「
タイトル保護」とはタイトルを保護することを言う。「Chapter Mark」とは、チャプタ−
のマークを付けることを言い、「Index Picture Set」とは、見出し絵柄をセットするこ
とを言う。「再生停止」とは再生を停止させることを言う。「早送り」とは再生を早送り
させることを言い、「早戻し」とは再生を早戻しさせることを言う。「スロー」とはスロ
ー再生させることを言い、「逆スロー」とは逆スロー再生させることを言う。
【００５３】
「ＰＡＵＳＥ」とは編集を一時的に停止させることを言う。「コマ送り」とはコマ送り
で編集することを言い、「コマ戻し」とはコマ戻しで編集すること言う。「ＳＫＩＰ  Ｕ
Ｐ」とは再生をスキップアップさせることを言い、「ＳＫＩＰ  ＤＯＷＮ」とは再生をス
キップダウンさせることを言う。「３０秒ＳＫＩＰ」とは３０秒分のスキップを行うこと
を言う。
【００５４】
「ＤＩＳＣ情報」は、光ディスク記録再生装置に装填された光ディスクから読み出され
たディスク情報であり、「ＶＲモード」、「タイトル数」、「ＤＩＳＣ残量」、「Finali
ze 済み（未）」の情報がある。「Finalize 済み」である場合は、当該光ディスクは録画
や編集ができなくなり、「Finalize（未）」の場合は、Finalizeは未だであるので、当該
光ディスクは録画や編集ができることを示す。「ＤＩＳＣ残量」は、編集状態での残りの
編集可能時間であり、所定時間毎に更新される。また、「ＤＩＳＰＬＡＹ表示」とは、デ
ィスプレイ装置２０に情報を表示させることを言う。「ＳＥＴ  ＵＰ設定」とは、装置の
セットアップを設定することを言う。
【００５５】
以上のように第１の実施形態によれば、リモコンのショートカットキーを押下すること
により、現在の状態で動作可能な機能を一覧表示することができ、しかも現時点では操作
が不可能な項目については表示色を変えて表示することができ、これにより、ユーザは現
在の状態で動作可能な機能を正確に簡単に知ることができ、したがって、現在の状態での
操作が簡単になって、使い勝手が向上する。
【００５６】
図３は第２の実施形態においてショートカットキーの押下による処理を説明するための
フローチャートである。このフローチャートを参照してショートカットキーの押下による
処理を説明する。なお、第２の実施形態における光ディスク記録再生装置の構成は、図１
に示す光ディスク記録再生装置におけるＣＰＵ２２０中の表示色制御手段２２３は設けら
れていない。
【００５７】
リモコン２１の電源キー２１５を押下して、装置の電源をオンし（ステップＮ１）、光
ディスク１を装置に装填した後、リモコン２１の操作により、再生動作、録画動作、停止
動作、編集動作の何れかの動作が行われる（ステップＮ２）。このように、何れかの動作
が行われている時に、ショートカットキー２１４が押下されると（ステップＮ３）、ＣＰ
Ｕ２２０の状態判別手段２２１は装置の現在状態を判別する（ステップＮ４）。
【００５８】
前記判別結果が再生状態を示すとき（ステップＮ５）、ＣＰＵ２２０の表示制御手段２
２２は、再生状態にて動作可能な機能内容のうち、現時点で使用できる項目（操作可能な
項目）を判断し、それらの項目だけを、ビデオデコーダ１５、ビデオプロセッサ１７、お
よびビデオエンコーダ１８を介して、ディスプレイ装置２０に一覧表示する（ステップＮ
６）。
【００５９】
例えば、前述した図４に示すように、再生状態におけるメニュー項目としては、「録画
」、「再生停止」、「早送り」、「早戻し」、「スロー」、「逆スロー」、「ＰＡＵＳＥ
」、「コマ送り」、「コマ戻し」、「ＳＫＩＰ  ＵＰ」、「ＳＫＩＰ  ＤＯＷＮ」、「３
０秒ＳＫＩＰ」が表示される。「ＤＩＳＣ情報」としては、「ＶＲモード」、「タイトル
数」、「ＤＩＳＣ残量」、「Finalize 済み（未）」が表示される。また、「ＤＩＳＰＬ
ＡＹ表示」、「ＳＥＴ  ＵＰ設定」が表示される。
【００６０】
しかし、例えば、映画などが記録された市販のＤＶＤが、この光ディスク記録再生装置
に装填されている場合、そのＤＶＤは消去できないようになっているので、「録画」の部
分は表示されない。
【００６１】
次に、前記判別結果が録画状態を示すとき（ステップＮ７）、ＣＰＵ２２０の表示制御
手段２２２は、録画状態にて動作可能な機能内容のうち現時点で使用できる項目（操作可
能な項目）だけを、ビデオデコーダ１５、ビデオプロセッサ１７、およびビデオエンコー
ダ１８を介して、ディスプレイ装置２０に一覧表示する（ステップＮ８）。
【００６２】
例えば、前述した図５に示すように録画状態におけるメニュー項目としては、「同時再
生」、「追い掛け再生」、「録画停止」、「ＲＥＣモニター」、「ＲＥＣ  ＰＡＵＳＥ」
が表示される。また「ＤＩＳＣ情報」としては、「ＶＲモード」、「タイトル数」、「Ｄ
ＩＳＣ残量」、「Finalize 済み（未）」が表示される。また、「ＤＩＳＰＬＡＹ表示」
、「ＳＥＴ  ＵＰ設定」が表示される。しかし、現時点で使用できない項目については、
表示されないことになる。
【００６３】
次に、前記判別結果が停止状態を示すとき（ステップＮ９）、ＣＰＵ２２０の表示制御
手段２２２は、停止状態にて動作可能な機能内容のうち現時点で使用できる項目（操作可
能な項目）だけを、ビデオデコーダ１５、ビデオプロセッサ１７、およびビデオエンコー
ダ１８を介して、ディスプレイ装置２０に一覧表示する（ステップＮ１０）。
【００６４】
例えば、前述した図６に示すように停止状態におけるメニュー項目としては、「録画」
、「再生」、「リジューム再生」が表示される。また「ＤＩＳＣ情報」としては、「ＶＲ
モード」、「タイトル数」、「ＤＩＳＣ残量」、「Finalize 済み（未）」が表示される
。また、「ＤＩＳＰＬＡＹ表示」、「ＳＥＴ  ＵＰ設定」が表示される。しかし、現時点
で使用できない項目については、表示されないことになる。
【００６５】
次に、前記判別結果が編集状態を示すとき（ステップＮ１１）、ＣＰＵ２２０の表示制
御手段２２２は、停止状態にて動作可能な機能内容のうち現時点で使用できる項目（操作
可能な項目）だけを、ビデオデコーダ１５、ビデオプロセッサ１７、およびビデオエンコ
ーダ１８を介して、ディスプレイ装置２０に一覧表示する（ステップＮ１２）。
【００６６】
例えば、前述した図７に示すように編集状態におけるメニュー項目としては、「タイト
ル結合」、「タイトル分割」、「シーン削除」、「タイトル名変更」、「タイトル保護」
、「Chapter Mark」、「Index Picture Set」、「再生停止」、「早送り」、「早戻し」
、「スロー」、「逆スロー」、「ＰＡＵＳＥ」、「コマ送り」、「コマ戻し」、「ＳＫＩ
Ｐ  ＵＰ」、「ＳＫＩＰ  ＤＯＷＮ」、「３０秒ＳＫＩＰ」が表示される。「ＤＩＳＣ情
報」としては、「ＶＲモード」、「タイトル数」、「ＤＩＳＣ残量」、「Finalize 済み
（未）」が表示される。また「ＤＩＳＰＬＡＹ表示」、「ＳＥＴ  ＵＰ設定」が表示され
る。しかし、現時点で使用できない項目については、表示されないことになる。
【００６７】
以上のように第２の実施形態によれば、リモコンのショートカットキーを押下すること
により、現在の状態で動作可能な機能を一覧表示することができ、しかも現時点で操作可
能な項目だけが表示されるので、ユーザは現在の状態で動作可能な機能を正確に簡単に知
ることができ、したがって、現在の状態での操作が簡単になって、使い勝手が向上する。
【００６８】
要するに、以上説明した第１，第２の実施形態によれば、ＤＶＤの再生中、録画中、停
止中、編集中などの現在状態において、リモコンのショートカットキーを押下すると、次
に可能な動作の一覧メニューが表示され、このメニュー項目を選択し、決定キーを押下す
ると次の操作が始まるようになる。例えば、書き換え可能なＤＶＤ−ＲＷの光ディスクを
装填し、録画状態の時にショートカットキーを押下すると、ディスク情報（録画方式、録
画時間、録画残量時間など）、Finalizeの情報、およびフォーマットの情報などを含む機
能内容がディスプレイ装置に表示され、次に、可能な操作が一見して分かり、使い勝手が
向上する。
【図面の簡単な説明】
【００６９】
【図１】本発明の第１の実施形態に係る光ディスク記録再生装置の構成を示すブロック図である。
【図２】第１の実施形態においてショートカットキーの押下による処理を説明するためのフローチャートである。
【図３】第２の実施形態においてショートカットキーの押下による処理を説明するためのフローチャートである。
【図４】第１，第２の実施形態における再生状態にて動作可能な機能内容（メニュー項目）がディスプレイ装置に一覧表示された一例を示す図である。
【図５】第１，第２の実施形態における録画状態にて動作可能な機能内容（メニュー項目）がディスプレイ装置に一覧表示された一例を示す図である。
【図６】第１，第２の実施形態における停止状態にて動作可能な機能内容（メニュー項目）がディスプレイ装置に一覧表示された一例を示す図である。
【図７】第１，第２の実施形態における編集状態にて動作可能な機能内容（メニュー項目）がディスプレイ装置に一覧表示された一例を示す図である。
【符号の説明】
【００７０】
１    光ディスク
２０    ディスプレイ装置
２１    リモコン
２２    システムコントローラ
２１４    ショートカットキー
２２１    状態判定手段
２２２    表示制御手段
２２３    表示色制御手段
【図１】
2006147084.tif 000003
【図２】
2006147084.tif 000004
【図３】
2006147084.tif 000005
【図４】
2006147084.tif 000006
【図５】
2006147084.tif 000007
【図６】
2006147084.tif 000008
【図７】
2006147084.tif 000009